(57)【要約】【課題】    通常時はウエストサイズを適切に固定でき、かつ運動時等にはウエストの動きやウエストサイズの変化に対応できる調節機構を有するウエストベルトまたは下衣を提供しようとするものである。      【解決手段】  ウエストベルト１に切り欠き部６を設け、切り欠き端７−ａ，７−ｂに伸縮部材２を縫着する。さらに、前記切り欠き部６を覆うようにカバー部材３が設け、前記ウエストベルト１と前記カバー部材３を、二つの切り欠き端７−ａ，７−ｂの外側で、取付手段４により固定する。      【選択図】          図１
2008174854.tif 000002
【特許請求の範囲】
【請求項１】
ウエストベルト下端が身頃に縫着される下衣であって、
前記ウエストベルトは少なくとも１以上の切り欠き部を有し、
切り欠き端に伸縮部材が縫着され、
前記切り欠き部と前記伸縮部材を覆うようにカバー部材が配設され、
前記切り欠き部両端の外側に、前記カバー部材と前記とウエストベルトの固定と解放が選択できる取付手段を備えた調節機構を有するウエストベルトを備えた下衣。
【請求項２】
下衣のウエストベルト上端がウエストベルト下端よりも短いことを特徴とする請求項１の下衣。
【請求項３】
前記切り欠き部の切り欠きは、ウエストベルトの上端から始まり下端まで達しないことを特徴とする請求項１または請求項２の下衣。
【請求項４】
ウエストベルトであって、
前記ウエストベルトは少なくとも１以上の切り欠き部を有し、
切り欠き端に伸縮部材が縫着され、
前記切り欠き部と前記伸縮部材を覆うようにカバー部材を配設し、
前記切り欠き部両端の外側に、前記カバー部材と前記ウエストベルトの固定と解放が選択できる取付手段を備えた調節機構を有することを特徴とするウエストベルト。
【発明の詳細な説明】
【技術分野】
【０００１】
本発明は、ウエストの動きやウエストのサイズ変化に対応できる調節機構を有するウエストベルトまたは下衣に関する。
【背景技術】
【０００２】
下衣のウエストベルトは、着用者のウエストサイズに合わせられるように、サイズを段階的に調節する機構が設けられることが一般的である。
また、下衣をウエストにフィットさせるために、ウエストベルトの一部に伸縮性の部材を用い、適度な締め付け力を持たせることも行われている。
【０００３】
例えば特開２００２−３３９１１３号には、ズボンのウエスト部分の分割部分を結合する衣服用掛止金具を始めとする結合具を取り付けたウエストサイズ調節機構付衣服が開示されている。
しかし、前記発明の調節機構では結合具を使用した後のウエストベルトのサイズは固定され、ウエストの動きやウエストサイズの変化に対応できないので、着心地が下がる原因になっている。
【０００４】
また、特開平１１−１４０７１０号には、ウエストベルトと身頃の一分に切り欠き部を設け、ウエストベルトの切り欠き部に伸縮自在な帯状弾性体を配置するサイズ調節機構が開示されている。
しかし、前記発明の調節機構ではウエストに常に締め付け力が加わるため、着心地が下がる原因になっている。
【０００５】
【特許文献１】特開２００２−３３９１１３号
【特許文献２】特開平１１−１４０７１０号
【発明の開示】
【発明が解決しようとする課題】
【０００６】
そこで本発明は、通常時はウエストサイズを適切に固定でき、かつ運動時等にはウエストの動きやウエストサイズの変化に対応できる調節機構を有するウエストベルトまたは下衣を提供しようとするものである。
【課題を解決するための手段】
【０００７】
請求項１の発明は、ウエストベルト下端が身頃に縫着される下衣であって、前記ウエストベルトは少なくとも１以上の切り欠き部を有し、切り欠き端に伸縮部材が縫着され、前記切り欠き部と前記伸縮部材を覆うようにカバー部材が配設され、前記切り欠き部両端の外側に、前記カバー部材と前記ウエストベルトの固定と解放が選択できる取付手段を備えた調節機構を有するウエストベルトを備えた下衣である。
【０００８】
本発明に於いては、前記切り欠き部に縫着される伸縮部材が自然長またはやや張力が掛かるように、切り欠き両端の外側でウエストベルトとカバー部材を固定している。通常時はウエストベルトとカバー部材を固定して使用し、運動時等、ウエストが動いたりウエストサイズが変化する場合はウエストベルトとカバー部材の片方または両方の固定を解放し、前記伸縮部材によりウエストサイズが大きくなる自由度を持つようにする。
【０００９】
請求項２の発明は、下衣のウエストベルト上端がウエストベルト下端よりも短いことを特徴とする下衣である。
【００１０】
ウエストベルト上端をウエストベルト下端よりも短くすることでフィット感が改善されることが本発明人の研究により判明しており、特願２００６−１６３８４９で詳しく述べている。しかしながら、ウエストベルト上端をウエストベルト下端よりも短くするとウエストベルト上端に張力が加わりやすいので、ウエストの動きやウエストのサイズ変化に対応できる調節機構をウエストベルトに設けることでさらに良好なフィット感が得られる下衣を提供できるのである。 
【００１１】
請求項３の発明は、前記切り欠き部の切り欠きは、ウエストベルトの上端から始まり下端まで達しないことを特徴とする下衣である。
【００１２】
本発明によれば、ウエストベルトは下端で下衣と縫着されるが、切り欠きを下端に達しないようにすれば切り欠き部の縫着線上に段差がないので、縫着線がずれたり、縫着糸が切れたりすることがない。
【００１３】
請求項４の発明は、ウエストベルトであって、前記ウエストベルトは少なくとも１以上の切り欠き部を有し、前記切り欠き部の長手方向両端に伸縮部材が縫着され、前記切り欠き部と前記伸縮部材を覆うようにカバー部材を配設し、前記カバー部材とウエストベルトは、切り欠き部両端の外側で固定と解放が選択できる取付手段を備えた調節機構を有することを特徴とするウエストベルトである。
【発明の効果】
【００１４】
以上のように、本発明によれば、通常時にはウエストサイズが固定されたウエストベルトとして腰部にフィットし、運動時などには腰部の捩れや伸びに合わせてウエストベルトが伸展して好適なフィット感を得られるようにできるものである。
【発明を実施するための最良の形態】
【００１５】
以下、本発明の実施例を添付図面に基づいて説明する。
図１は本発明のウエストベルト１の調節機構８を外側から見た拡大図である。ウエストベルト１には切り欠き部６が設けられ、切り欠き端７−ａ，７−ｂに伸縮部材２が縫着される。さらに、前記切り欠き部６を覆うようにカバー部材３が設けられ、前記ウエストベルト１と前記カバー部材３は、二つの切り欠き端７−ａ，７−ｂの外側で、取付手段４により固定される。
【００１６】
図２は図１のＡ−Ａ’断面図で、図の左が下衣の表、右が裏である。伸縮部材２は二つの切り欠き端以外ではウエストベルト１やカバー部材３に固定されず、自由に伸縮できるように配設される。また、カバー部材３は、身頃１０と縫着されている。伸縮部材２の材料は編物でも織物でもよいが、縫着部よりも緯方向の伸縮性が大きい生地にすることが望ましい。
【００１７】
例えば編物であればリブ組織やその変化組織が望ましく、ポリウレタン糸、伸縮ポリエステル糸、ゴム糸等伸縮性の高い糸と交編して緯方向の伸縮性を高めて使用する。織物であれば、ポリウレタン糸、伸縮ポリエステル糸、ゴム糸等伸縮性の高い糸と交織して緯方向の伸縮性を高めて使用する。編物、織物いずれであれ、ポリエステル、ナイロン、アクリル等の合成繊維、または綿、レーヨン、麻等のセルロース系繊維、あるいはウール、シルク等の動物性繊維糸の中から一または複数の繊維を選択して構成するか、それらの中から一または複数の繊維を選択した繊維を主体として、ポリウレタン糸、伸縮ポリエステル糸、ゴム糸等の伸縮性の高い糸を一部に交編、交織して構成する。
【００１８】
また、伸縮部材２に織ゴムを使用することもできる。この場合は、長さ方向（経方向）にポリウレタン糸等の伸縮性の高い糸にポリエステル、ナイロン等をカバーしたカバーリングヤーンを複数本配し、幅方向（緯方向）にナイロン、ポリエステルのモノフィラメント糸を経方向よりも高密度に配し、経方向のカバーリングヤーンが幅方向に動かないように保持されるように織こんで使用する。経方向の伸縮糸の保持効果をさらに高めるために、緯方向にナイロンの熱融着糸を使用し、ゴム織成後に熱をかけ、経緯糸の交点で接着することも可能である。
【００１９】
以上は一例であり、伸縮部材２は長さ方向に伸縮性があるものを広く利用することができる。伸縮部材２の幅は下衣のデザインにより適宜設定するが、上限は縫着するウエストベルト１の幅と同じとし、下限はウエストベルト１の幅より１５ｍｍ狭い値とすることが望ましい。伸縮部材２の幅をウエストベルト１の幅より大きくすると加工が煩雑になるためである。また、伸縮部材２をウエストベルト１の幅より１５ｍｍを越えて狭くすると、ウエストベルト１の皺や縫着部の破損、カバー部材３のウエストベルト上端１５からウエストベルト下端１４の方向への縦折れがおきやすくなるためである。
【００２０】
図３は図１のＢ−Ｂ’断面である。ウエストベルト１とカバー部材３は、ウエストベルト下端１４付近で身頃１０に縫着されるが、それ以外の部分では縫着されない。
【００２１】
図５は、本発明の調節機構８をウエストベルト１のサイドに設けた下衣５を横から見た例である。本実施例では、腰部の左右両サイドの二箇所に調節機構８を設けている。ウエストベルト１とカバー部材３を取付手段４で固定すれば、ウエストサイズが固定された通常のウエストベルトとなり、解放すれば腰部の捩れや伸びに合わせてウエストベルト１が伸展可能となる。なお、本実施例ではウエストベルト１とカバー部材３の取付手段４として釦を用いたが、ホック、尾錠、カン、面ファスナー等を用いてもよい。また、調節機構８を設ける位置は一例であり、本実施例に限定されず、他の場所、例えば背面や正面に設けてもよい。
【００２２】
図５の実施例では、ウエストベルト１の主要寸法は、ウエストベルト上端１５を６７ｃｍ、ウエストベルト下端１４を８１ｃｍ、幅５．５ｃｍとした。また、ウエストベルト１とカバー部材３にはポリエステル９４％、ポリウレタン６％の織物に芯地を使用した。伸縮部材２には、１２４０ｄｔｅｘのポリウレタン糸に、１５０ｄｔｅｘのポリエステル双糸をカバーリングしたゴム糸を長さ方向（経方向）に１７４本、３００ｄｔｅｘのポリエステル単糸を幅方向（緯方向）に使用して、全幅が４ｃｍとなるようにした。また、伸縮部材２の張力は３０％伸長時の荷重が９．６Ｎのものを使用した。なお、良好なフィット感を得るためには、伸縮部材２の３０％伸長時の荷重は３．５〜１５．７Ｎの範囲にすることが好ましい。
【００２３】
伸縮部材の３０％伸長時の荷重測定は、ＴＥＮＳＩＯＮ型万能引張試験機ＵＴＭ−３−２００（東洋ボールドウィン製）を用い、次の条件で行う。試験片は幅３ｃｍ×長さ３０ｃｍとし、緯方向が長さ方向になるように作製する。チャックの掴み間隔が２０ｃｍになるように試験片をセットし、毎分２０ｃｍの速度でチャック間隔を広げ、チャック間隔が２６ｃｍでの荷重を計測する。また、織りゴムのように試験片幅を３ｃｍに加工困難なものは、３０％伸長時の荷重は試験片幅に比例するものとして換算する。
【００２４】
また、ウエストベルト１の幅は４ｃｍ以上７ｃｍ以下がよく、５ｃｍ以上６ｃｍ以下がより好ましい。通常のウエストベルトの幅は３ｃｍ前後だが、ウエストベルト下端１４は伸縮しないので、ウエストベルト１に４ｃｍ以上の幅がないと調節機構８が十分作用しないためであり、７ｃｍを越えると外観バランスが崩れるためである。
【００２５】
図６は図１の調節機構８であるが、説明のためカバー部材３の表地を透視している。図６ａは両方の取付手段４を固定した状態であり、サイズが固定された通常のウエストベルトとして機能する。このためカバー部材３とウエストベルト１は伸びが小さい材料が好ましく、例えば伸縮部材２よりも伸縮性の小さい生地を用いるか、芯地を生地の裏につけることで伸びを抑える。
【００２６】
図６ｂは一方の取付手段４−ａを解放した状態の使用例で、例えばゴルフクラブやバットをスイングする時のように捩れや伸びが一方向である場合、伸びる側の取付手段のみを解放すれば好適なフィット感を得ることができる。
【００２７】
図６ｃは４−ａ，４−ｂ両方の取付手段を解放した状態の使用例で、例えば前屈柔軟運動や長時間座位を取るなど、ウエストサイズが不規則に拡大する場合に、ウエストベルト１が切り欠き部６の両側へ伸展し良好なフィット感を得ることができる。
【００２８】
なお、伸縮部材２はウエストサイズが固定されるウエストベルト下端１４付近よりもウエストベルト上端１５付近に設ける方がウエストサイズの変化に良く対応ができる。このため本実施例では伸縮部材２をウエストベルト上端に寄せて配置している。
【産業上の利用可能性】
【００２９】
本発明のウエストベルトは、一般的には下衣に設けられるが、上衣等の一般的な衣料や腰用サポーターなどにも使用可能である。
【図面の簡単な説明】
【００３０】
【図１】ウエストベルトの調節機構の拡大図
【図２】図１のＡ−Ａ’断面図
【図３】図１のＢ−Ｂ’断面図
【図４】図１のＣ−Ｃ’断面図
【図５】本発明の下衣
【図６】本発明の調節機構の使用例
【図７】図１のＸ−Ｘ’断面図
【図８】図１のＹ−Ｙ’断面図
【符号の説明】
【００３１】
１      ウエストベルト
２      伸縮部材
３      カバー部材
４      取付手段
５      下衣
６      切り欠き部
７      切り欠き端
８      調節機構
１０    身頃
１１    ウエストベルト表
１２    ウエストベルト裏
１３    芯地
１４    ウエストベルト下端
１５    ウエストベルト上端
３１    カバー部材表
３２    カバー部材裏
３３    芯地（インベル）
【図１】
2008174854.tif 000003
【図２】
2008174854.tif 000004
【図３】
2008174854.tif 000005
【図４】
2008174854.tif 000006
【図５】
2008174854.tif 000007
【図６】
2008174854.tif 000008
【図７】
2008174854.tif 000009
【図８】
2008174854.tif 000010